(57)【要約】【課題】本発明は、簡易なシステムで、ランニングコストも低減することができ、しかも配管の面倒さを低減した床暖房システムを提供することを目的とする。【解決手段】本発明は、室内を暖める暖房装置と、この暖房装置からの放熱を床面の面方向に伝える面状の伝熱体とを備える床暖房システムにおいて、前記暖房装置が、熱を発生する加熱手段と、この加熱手段からの熱を蓄える蓄熱材と、この蓄熱材の周囲に設けられ放熱を抑制する断熱材と、この断熱材の外側を覆う外装とを有する蓄熱暖房装置であり、前記面状の伝熱体が、床に設置され、面方向に配置したヒートパイプを有する床暖房システムである。【選択図】図１
2008151486.tif 000002
【特許請求の範囲】
【請求項１】
室内を暖める暖房装置と、この暖房装置からの放熱を床面の面方向に伝える面状の伝熱体とを備える床暖房システムにおいて、
前記暖房装置が、熱を発生する加熱手段と、この加熱手段からの熱を蓄える蓄熱材と、この蓄熱材の周囲に設けられ放熱を抑制する断熱材と、この断熱材の外側を覆う外装とを有する蓄熱暖房装置であり、
前記面状の伝熱体が、床に設置され、面方向に配置したヒートパイプを有する床暖房システム。
【請求項２】
請求項１において、
蓄熱暖房装置が、前記蓄熱暖房装置の内部の高温の空気を外部に吹出すファンを有し、このファンから吹き出した空気が、ヒートパイプに熱を伝える床暖房システム。
【請求項３】
請求項１または請求項２において、
面状の伝熱体が、蓄熱暖房装置から放熱される熱をヒートパイプに伝えるための熱伝導手段を備え、
この熱伝導手段が、蓄熱暖房装置からの放熱を受ける金属板と、この金属板とヒートパイプとを繋ぐ接続部とを有する床暖房システム。
【請求項４】
請求項１から請求項３の何れかにおいて、
蓄熱暖房装置の前面側および背面側への放熱を、前記蓄熱暖房装置の側面側および底面側よりも大きくした床暖房システム。
【請求項５】
請求項１から請求項４の何れかにおいて、
面状の伝熱体が、床と接する裏面側に断熱部を、ヒートパイプを有する中間層に蓄熱部を、表面側に床材を有する床暖房システム。
【請求項６】
請求項１から請求項５の何れかにおいて、
面状の伝熱体に設けられたヒートパイプが、放射状または枝状に配置された床暖房システム。
【請求項７】
請求項１から請求項６の何れかにおいて、
蓄熱暖房装置の蓄熱材が、潜熱蓄熱材である床暖房システム。
【発明の詳細な説明】
【技術分野】
【０００１】
本発明は、蓄熱暖房装置とヒートパイプを使用した床暖房システムに関する。
【背景技術】
【０００２】
近年、温水配管方式の床暖房システムが広く使われている。この熱源として、深夜電力を利用することでランニングコストを抑えた貯湯式給湯器を使用したものが知られている（特許文献１）。このような、温水配管方式の床暖房システムでは、床面パネルに温水配管を張り巡らせることで床を暖めるのが一般的である。
【０００３】
また、同様な温水配管方式の床暖房システムとして、床面パネルに、温水配管とこれに接続するヒートパイプを用いることで、床面を暖めて放熱する床暖房システムが知られている（特許文献２）。
【０００４】
また、太陽熱集熱器を熱源として用い、ヒートパイプを用いて熱輸送を行い、床に設置された暖房パネルに設けた潜熱蓄熱材で、蓄熱と放熱を行なう床暖房システムが知られている（特許文献３）。
【０００５】
さらに、熱源として電気ヒータを使用した床暖房システムが知られている。これは、床に設けられた面状の発熱体を発熱させ、放熱することで、部屋を暖めるものである。
【特許文献１】特開２００６−１２５６７９号公報
【特許文献２】特開昭６１−２５６１５２号公報
【特許文献３】特開平９−３０３８０３号公報
【発明の開示】
【発明が解決しようとする課題】
【０００６】
しかしながら、特許文献１や特許文献２のような温水配管方式の床暖房システムでは、熱源である貯湯式給湯器が、ヒートポンプと組み合わせた複雑なシステムであり、また貯湯式給湯器は屋外に設置されるため、屋内への配管や床への配管も面倒で、しかもコストがかかる問題がある。
【０００７】
また、特許文献３のような太陽熱集熱器を用いた場合でも、やはりシステムが複雑で、また太陽熱集熱器は屋根に設置されるものであるため、屋内への配管や床への配管も面倒で、しかもコストがかかる問題がある。
【０００８】
さらに、熱源として電気ヒータを使用した床暖房システムでは、システムが簡易で、面倒な配管も不要であるメリットはあるが、ランニングコストが高い問題がある。
【０００９】
本発明は、上記問題を解決するものであり、簡易なシステムで、ランニングコストも低減することができ、しかも配管の面倒さを低減した床暖房システムを提供することを目的とする。
【課題を解決するための手段】
【００１０】
本発明は、以下のものに関する。
（１）  室内を暖める暖房装置と、この暖房装置からの放熱を床面の面方向に伝える面状の伝熱体とを備える床暖房システムにおいて、前記暖房装置が、熱を発生する加熱手段と、この加熱手段からの熱を蓄える蓄熱材と、この蓄熱材の周囲に設けられ放熱を抑制する断熱材と、この断熱材の外側を覆う外装とを有する蓄熱暖房装置であり、前記面状の伝熱体が、床に設置され、面方向に配置したヒートパイプを有する床暖房システム。
（２）  （１）において、蓄熱暖房装置が、前記蓄熱暖房装置の内部の高温の空気を外部に吹出すファンを有し、このファンから吹き出した空気が、ヒートパイプに熱を伝える床暖房システム。
（３）  （１）または（２）において、面状の伝熱体が、蓄熱暖房装置から放熱される熱をヒートパイプに伝えるための熱伝導手段を備え、この熱伝導手段が、蓄熱暖房装置からの放熱を受ける金属板と、この金属板とヒートパイプとを繋ぐ接続部とを有する床暖房システム。
（４）  （１）から（３）の何れかにおいて、蓄熱暖房装置の前面側および背面側への放熱を、前記蓄熱暖房装置の側面側および底面側よりも大きくした床暖房システム。
（５）  （１）から（４）の何れかにおいて、面状の伝熱体が、床と接する裏面側に断熱部を、ヒートパイプを有する中間層に蓄熱部を、表面側に床材を有する床暖房システム。
（６）  （１）から（５）の何れかにおいて、面状の伝熱体に設けられたヒートパイプが、放射状または枝状に配置された床暖房システム。
（７）  （１）から（６）の何れかにおいて、蓄熱暖房装置の蓄熱材が、潜熱蓄熱材である床暖房システム。
【発明の効果】
【００１１】
本発明によれば、簡易なシステムで、ランニングコストも低減することができ、しかも配管の面倒さを低減した床暖房システムを提供することができる。
【発明を実施するための最良の形態】
【００１２】
まず、本発明の床暖房システムの構成を、その一例である図１を例にとって説明する。
【００１３】
図１に例示した床暖房システムは、外装１、断熱材２、蓄熱材３、加熱手段４、ファン５、熱伝導手段６、ヒートパイプ７、断熱部８、蓄熱部９、床材１０、暖房装置１１、面状の伝熱体１６、などにより構成される。
【００１４】
暖房装置１１は、室内を暖めることができるものであれば特に限定はなく、給湯装置からの温水を用いるもの、電気ヒータ、エアコン、蓄熱暖房装置、その他を使用できる。しかしながら、面倒な温水配管を不要として、設置作業や設置コストを低減し、ランニングコストを低減するという問題を解決するためには、暖房装置として蓄熱暖房装置を用いる。これにより、暖房装置の設置のために面倒な配管を必要とせず、設置コストを低減できる。また、深夜電力を利用できるため、ランニングコストも低減できる。
【００１５】
面状の伝熱体１６は、暖房装置１１から放熱される熱を、室内の床面２２の面方向に伝えるものである。一般に、暖房装置１１の近くは暖かいが、暖房装置１１から離れるほど、暖かさが感じられなくなり、特に、床面２２に近いほど、その傾向が強い。しかしながら、面状の伝熱体１６によって、暖房装置１１から放熱される熱が、室内の床面２２の面方向に伝えられるため、暖房装置１１から離れた位置の床面２２でも暖かさが感じられるようにすることができ、しかも床面２２が暖かいので、暖房効果を高めることができる。
【００１６】
面状の伝熱体１６としては、床２１と接する裏面側に断熱部８を、表面側に熱伝導率の良い床材１０を有し、これらの間にヒートパイプ７を通す中間層９を設けるようにするのが望ましい。これにより、ヒートパイプ７によって運ばれた熱が、床２１側に放熱するのを抑制し、室内側の放熱を促進することによって、室内の暖房効率を高めることができる。さらに、ヒートパイプ７を設置した中間層９を蓄熱部９とするのが望ましい。これにより、ヒートパイプ７からの熱が蓄熱部９に蓄えられ、面状の伝熱体１６が急に冷えるのを抑制することができ、使い心地を向上することができる。
【００１７】
断熱部８は、ヒートパイプ７からの熱が床材１０以外の方向（下方向）に放熱されるのを少なくするためのものであり、ヒートパイプ７の下側、つまり床２１と接する裏面側に設置される。断熱部８としては、合成樹脂の発泡成形品などの一般的な床材用の断熱材が使用できる。
【００１８】
床材１０は、ヒートパイプ７を介し、蓄熱暖房装置１１の蓄熱材３から伝達された熱を室内に伝えるものであり、蓄熱部９の上部、つまり表面側に設置される。床材１０としては、木質系などの一般的な住宅用の床材が使用できるが、熱伝導性のよいものを使用すると、室内の暖房効果が向上できるので望ましい。
【００１９】
蓄熱部９は、ヒートパイプ７からの熱を床材１０に伝えるものであり、ヒートパイプ７の周り、つまり床材１０と断熱部８との間の中間層９に設置される。蓄熱部９は、ヒートパイプ７により伝達された熱を蓄熱できるものであれば特に限定するものでなく、酢酸ナトリウム水和物、硫酸ナトリウム水和物、パラフィン等の潜熱蓄熱材やコンクリート等の顕熱蓄熱材を用いることができる。これらの蓄熱部８には、ヒートパイプ７を収納するための溝を設けることにより、ヒートパイプ７の周囲を覆うように蓄熱部８を設けることができるので望ましい。
【００２０】
本発明は、床暖房システムであり、一般の住宅の居室などの蓄熱暖房装置と面状の伝熱体とを設置可能な場所で使用することができるものである。
【００２１】
暖房装置１１として使用する蓄熱暖房装置１１は、加熱手段４と、この加熱手段４からの熱を蓄える蓄熱材３と、この蓄熱材３の周囲に設けられ放熱を抑制する断熱材２と、この断熱材２の外側を覆う外装１とを有する。
【００２２】
加熱手段４は、蓄熱材３を高温加熱できるものであれば特に限定するものでなく、ヒータ４等を用いることができる。ヒータ４を用いる場合は、ヒータ４を蓄熱材３に接するように設置して、直接加熱することで蓄熱材３を高温状態にすることができる。なお、ヒータ４を使用する場合、深夜時間帯の方が電気料金が安いことから、深夜時間帯にヒータ４へ通電し蓄熱材３を加熱する。これにより、蓄熱暖房装置１１のランニングコストを低減することができる。
【００２３】
蓄熱材３は、ヒータ４により加熱された熱を蓄えるものであり、ヒータ４を取り囲むように配置される。これにより、蓄熱材３は、ヒータ４からの熱を効率よく蓄えることができる。また、蓄熱材３は、内部を空気が通過するように、空洞１２を設けて配置される。これにより、蓄熱材３の空洞１２内の空気を加熱する構造を有する。また、ファン５を稼動した場合には、蓄熱暖房装置１１の外部から送り込まれた空気が、蓄熱材３の空洞１２内を通過して加熱される構造を有する。これにより、ファン５を稼動することによって、蓄熱暖房装置１１から、室内に温風を吹き出すことができ、室内を暖める効果を高めることができる。また、面状の伝熱体１６に向けて吹き出すようにすることで、面状の伝熱体１６に蓄熱暖房装置１１からの熱を伝える効果を高めることができる。
【００２４】
蓄熱材３としては、一般的に蓄熱暖房用として使用されるレンガなどの顕熱蓄熱材や、ペンタエリトルトールなどの潜熱蓄熱材を使用することができる。特に潜熱蓄熱材を用いた場合は、顕熱蓄熱材と同じ重量の場合、蓄熱量を増やすことができるため、軽量化が可能となるので望ましい。
【００２５】
断熱材２は、蓄熱材３の周囲を覆うように設けられる。これにより、蓄熱材３からの放熱を抑制することができる。また、蓄熱暖房装置１１の前面側、上面側、側面側、背面側などの外装１の内部に、部位毎に断熱材２の厚さを変えるようにしてもよい。ここで、前面側とは、図１のように蓄熱暖房装置１１を室内の一方の壁２０際に配置した場合、吹出し口１８を設けた側、つまり、室内側に面した側をいう。また、背面側とは、壁２０側に面した側をいい、側面側とは前面側から見たとき側面となっている側をいう。底面側とは、面状の伝熱体１６に面した側をいう。これにより、蓄熱暖房装置１１の各面からの放熱量を変化させることができ、所望の方向により多く放熱することができる。蓄熱暖房装置１１の前面側への放熱を、蓄熱暖房装置１１のその他の面側よりも大きくした場合には、前面からの放熱により室内側の使用者に向けた放熱量を増やすことができる。図１の構成の場合に、前面側と同時に背面側への放熱を大きくすることで、背面側からの放熱によって、熱伝導手段６により面状の伝熱体１６に熱を伝えることができ、床暖房としての暖房効果を高めることができる。
【００２６】
断熱材２としては、一般的に断熱材として使用される酸化ケイ素などが使用できる。成形したものを用いることにより、組立の手間を省くことができるので望ましい。
【００２７】
外装１は、断熱材２の外側を覆うものであり、断熱材２との間にすき間を設けるようにするのが望ましい。これにより、断熱材２と外装１との間に空気の断熱層が形成され、断熱効果を高めることができる。
【００２８】
ヒートパイプ７は、蓄熱材３に蓄えられた熱を面方向に伝えるためのものであり、面状の伝熱体１６に設けられ、その面方向に配置される。このヒートパイプ７は、密閉容器内に少量の作動液体を真空封入し、内壁に毛細管構造を有する。密閉容器は、液体を真空封入できるものであれば特に限定するものでなく、銅、鉄、ステンレス等の金属を用いることができる。また、作動液体は、潜熱の高いものであれば特に限定するものでなく、水、アルコール、メタノール、ナフタレン等を用いることができる。
【００２９】
ヒートパイプ７は、面状の伝熱体１６の面方向に配置されていれば、配置方法等は特に限定するものではなく、図２、図３に示すように床面２２に対し、蓄熱暖房装置から放射状または枝状などに配置することができる。そして、図２のように、それぞれのヒートパイプ７が独立している場合は、独立したそれぞれのヒートパイプ毎に、その一端が、蓄熱暖房装置１１からの放熱を受けるようにする。また、図３のように、数本のヒートパイプ７が繋がっている場合は、繋がっているヒートパイプ７の集合毎にその一端が、蓄熱暖房装置からの放熱を受けるようにする。これにより、配置したヒートパイプ７の全てに熱を伝えることができ、床面２２全体を暖めることができる。
【００３０】
ファン５は、蓄熱暖房装置１１の側面に設けられた吸込み口１９から室内の冷たい空気を吸込み、蓄熱暖房装置１１の内部の蓄熱材３に送り込むと同時に、蓄熱材３と熱交換し加熱された蓄熱暖房装置１１の内部の高温の空気を外部に吹出すものである。ファン５は、蓄熱材３の下部に設けるのが望ましい。蓄熱材３の周囲の空気は、暖まり上昇していくため、ファン５の周囲の温度を低くすることができ、高温による部品の故障等を少なくすることが可能となる。
【００３１】
また、ファン５によって吹き出される空気は、ヒートパイプ７に熱を伝えるように吹き出されるのが望ましい。例えば、蓄熱暖房装置１１の下方へ向って吹出し、この吹出した熱風が当たる位置に面状の伝熱体１６のヒートパイプ７の端部が位置するようにすることで、ファン５から吹き出した空気が、ヒートパイプ７に熱を伝えることが可能になる。また、例えば図１に示すように、蓄熱暖房装置１１の背面側の開口１５から熱伝導手段６の金属板１７に熱風が当たるようにすると、金属板１７を介してこの金属板１７に接続されたヒートパイプ７の端部に熱を伝えることができるので、効率良く熱を伝えることが可能になる。
【００３２】
熱伝導手段６は、蓄熱暖房装置１１から放熱される熱をヒートパイプ７に伝えるものであり、蓄熱暖房装置１１からの放熱を受ける金属板１７と、この金属板１７とヒートパイプ７とを繋ぐ接続部１３とを有する。なお、蓄熱暖房装置１１からの放熱を受けるには、金属板１７に限らず、熱伝導性の良いものであれば特に限定するものではない。接続部１３の接続方法は、ヒートパイプ７に熱が伝わればよく、特に限定するものではない。例えば、金属板１７とヒートパイプ７の一端とを直接または間接的に接触させた状態で、ねじなどで固定する方法をとることができる。
【００３３】
熱伝導手段６の設置場所は、蓄熱暖房装置１１から熱を得られる所であれば特に限定するものではない。図１に示すように、蓄熱暖房装置１１の背面側の外装１に開口１５を設けて金属板１７を設置し、蓄熱暖房装置１１の背面側からの放熱を受けるとともに、金属板１７とヒートパイプ７とを接続した場合は、蓄熱暖房装置１１の背面からの放熱を利用することができ、また、室内の端に設けることができるので邪魔にならず見栄えも害しない。さらに、室内の床面２２の端にすき間を設け、このすき間に金属板１７を挿入することで、ヒートパイプ７と金属板１７とを接続することができ、設置が容易である。
【００３４】
以上のことから、蓄熱暖房装置を熱源として使用し、ヒートパイプと組み合わせることにより、簡易なシステムで、ランニングコストも低減することができ、しかも配管の面倒さを低減した床暖房システムを提供することが可能となる。
【実施例】
【００３５】
以下、本発明に係る床暖房システムの実施例について、図面に基づき説明する。
【００３６】
図１は、本発明の実施例である。図１の実施例の床暖房システムは、外装１、断熱材２、蓄熱材３、ヒータ４、ファン５、熱伝導手段６、ヒートパイプ７、断熱部８、蓄熱部９、床材１０、面状の伝熱体１６、などにより構成されている。
【００３７】
加熱手段４は、ヒータ４を使用し、深夜時間帯に通電するようにした。ヒータ４は、蓄熱材３の間に設置し、蓄熱材３を直接加熱するように構成した。
【００３８】
蓄熱材３は、顕熱を利用した蓄熱材３とし、酸化マグネシウムのレンガを使用することにした。蓄熱材３には、空洞１２を設け、蓄熱材３を積み上げた際に空気の通風路を形成するようにした。ファン５は、蓄熱材３の下部に設け空気を上方に吹き出すように設置した。
【００３９】
断熱材２は、蓄熱材３の周囲を覆うように設置した。下面の断熱材２には、開口１４を設け、空気が通過できるようにした。上面の断熱材にも、開口１４を設け、加熱された空気が背面側へ流れる構造とした。外装１の背面側には加熱された空気を吹き出すように開口１５を設けた構造とする。また、背面側の断熱材２は、熱伝導手段６に必要な熱を伝えられるような断熱材２の厚さになるようにした。
【００４０】
熱伝導手段６は、金属板１７として熱伝導性の良い銅板１７を用いることにし蓄熱暖房装置１１の背面に設置することにした。熱伝導手段６の銅板１７は、蓄熱材３からの熱を効率良くヒートパイプ７に伝えるため、ヒートパイプ７との接触面積を多くして連結できる構造とした。ここでは、銅板１７の接続部１３となる下端の一部に、筒状のヒートパイプ７の外形に合せた半円状の凹みを設け、この半円状の凹みの内壁に筒状のヒートパイプ７の外周が接するようにした。熱伝導手段６の銅板１７とヒートパイプ７との接触面積を多くし、また、ヒートパイプ７のダメージを防ぐため、熱伝導手段６の銅板１７とヒートパイプ７との接触部分には、熱伝導性のゴムを設けた。そして、この状態で、蓄熱暖房装置１１の背面側の外装１にねじで固定した。
【００４１】
ヒートパイプ７は、内壁に毛細管構造を有する銅製の密閉容器とし、作動液は水を用いることにした。ヒートパイプ７の加熱部は、熱伝導手段６の連結できる構造とし、床材１０の下に設置した。さらに、図２に示すようにヒートパイプ７は、蓄熱暖房装置１１から枝状に設置することにした。
【００４２】
面状の伝熱体１６の断熱部８は、ヒートパイプ７からの熱が床材１０以外の方向（下の床２１方向）に放熱されるのを少なくするため、ヒートパイプ７の下側に設置した。
【００４３】
面状の伝熱体１６の蓄熱部９は、低温度で融解および凝固する酢酸ナトリウム水和物を用いることとし、ヒートパイプ７の周りに充填し設置した。
【００４４】
床材１０は、ヒートパイプ７の周りに配置された蓄熱部９の上部に設置した。
【００４５】
次に、上記構成での動作を説明する。
【００４６】
まず、蓄熱暖房装置１１の蓄熱する際の動作について説明する。蓄熱暖房装置１１は、電気料金の安い深夜時間帯になるとヒータ４に電気が通電される。そして、ヒータ４により熱が放出され、ヒータ４に接して設置されている蓄熱材３が、序々に加熱されて温度が上昇することにより、蓄熱材３に熱が蓄えられる。蓄熱材３がある一定温度になると、ヒータ４への通電を切る制御となっており、蓄熱動作が終了する。
【００４７】
次に、蓄熱材３に蓄えられた熱は、蓄熱材３の周囲の断熱材２を通過し、外装１を暖める。そして、外装１から室内に熱を放熱し、室内の暖房が可能となる。
また、ファン５を使用する場合は、蓄熱暖房装置１１の側面に設けられた吸込み口１９から室内の冷たい空気を蓄熱暖房装置１１の内部に吸込み、吸込んだ空気を上方に設置された蓄熱材３に送風する。送風された空気は、蓄熱材３内を通り、再び蓄熱暖房装置１１の下方の吹出し口１８から室内に吹き出される。送風された空気は、蓄熱材３内を通過する際に蓄熱材３と熱交換し加熱されることで、室内の暖房が可能となる。
【００４８】
続いて、ヒートパイプ７を加熱する際の方法について説明する。ファン５を使用しない場合は、蓄熱し暖まった外装１に熱伝導手段６の銅板１７を接触させて設置することで熱が伝えられ熱伝導手段６が加熱される。そして、熱伝導手段６に連結されたヒートパイプ７の端部を加熱することが可能となる。また、ファン５を使用する場合は、ファン５により送風された空気が蓄熱材３の空洞１２を通り、蓄熱材３の上方を抜けて蓄熱暖房装置１１の背面側に設けられた開口１５から吹き出される。よって、蓄熱材３の内を通り加熱された空気が、熱伝導手段６の銅板１７に当たることで熱が伝えられ熱伝導手段６が加熱される。そして、熱伝導手段６の銅板１７の接続部１３に連結されたヒートパイプ７の端部を加熱することが可能となる。ファン５を使用する場合は、ＯＮ−ＯＦＦをすることができるため、蓄熱材９に、融解と凝固を繰り返し行い熱を放熱させるような潜熱蓄熱材を使用する際に有効となる。
【００４９】
次に、ヒートパイプ７を通して床暖房する際の方法について説明する。ヒートパイプ７の端部は、熱伝導手段６の銅板１７の接続部１３に連結されており、熱伝導手段６の銅板１７が加熱されることにより、ヒートパイプ７の端部も加熱される。ヒートパイプ７の端部が加熱されるとヒートパイプ７内の作動液体が蒸気となり、加熱側とは反対の他端へ蒸気が移動する。他端側で蒸気が冷却されると蒸気は液体となり、毛細管作用により加熱側へ戻る。これを繰り返すことにより、蓄熱暖房装置からの熱を床面２２の面方向へ移動することが可能となる。
【００５０】
そして、加熱されたヒートパイプ７は、周りに充填されている蓄熱部９を所定の温度まで加熱すると、蓄熱部９が融解しながら熱を蓄えはじめる。ある温度になったときにファン５による送風を停止することにより、ヒートパイプ７への加熱も停止される。蓄熱部９は、温度が低下すると、凝固しながらある一定の温度で放熱をはじめる。蓄熱部９から放熱された熱は、床材１０を介し室内に放出されるため、室内を暖房することが可能となる。
【００５１】
以上のことから、蓄熱暖房装置とヒートパイプを組み合わせることにより、深夜電力を利用でき、ランニングコストも低減することが可能となる。しかも、床面２２の下にヒートパイプを設置するだけであり、配管施工の面倒さを低減した床暖房システムを提供することができる。
【図面の簡単な説明】
【００５２】
【図１】本発明に係る床暖房システムの実施例の構成図である。
【図２】本発明に係る床暖房システムのヒートパイプ配置の一例である。
【図３】本発明に係る床暖房システムのヒートパイプ配置の一例である。
【符号の説明】
【００５３】
１…外装、２…断熱材、３…蓄熱材、４…ヒータ、５…ファン、６…熱伝導手段、７…ヒートパイプ、８…断熱部、９…蓄熱部、１０…床材、１１…蓄熱暖房装置、１２…空洞、１３…接続部、１４…外装の開口、１５…断熱材の開口、１６…面状の伝熱体、１７…金属板、１８…吹出し口、１９…吸込み口、２０…壁、２１…床、２２…床面
【図１】
2008151486.tif 000003
【図２】
2008151486.tif 000004
【図３】
2008151486.tif 000005